(57)【特許請求の範囲】
【請求項１】
所望の曲面形状に成形され、軽量でかつ保形性を有する発泡樹脂基材（２１）と、この発泡樹脂基材（２１）の裏面に一体化される樹脂リブ（２２）とから構成され、上記発泡樹脂基材（２１）は、加熱軟化処理された発泡樹脂シート（Ｓ）が成形上下型（４１，４２）内で絞り成形されるとともに、成形下型（４２）の溝部（４２４）内に溶融樹脂（Ｍ１）を射出充填することにより、発泡樹脂基材（２１）の裏面に樹脂リブ（２２）を一体化してなる積層構造体（２０）を全体、あるいは一部に採用してなる自動車用内装部品（１０）において、
前記積層構造体（２０）の意匠面凸部（２０ａ）対応箇所には、Ｒ部対応樹脂リブ（２２ａ）が形成され、Ｒ部対応樹脂リブ（２２ａ）以外の樹脂リブ（２２）のリブ幅（ａ１）、リブ深さ（ｂ１）に比べ、上記Ｒ部対応樹脂リブ（２２ａ）のリブ幅（ａ２）を狭く、リブ深さ（ｂ２）を浅く設定することで、発泡樹脂シート（Ｓ）の絞り成形時において溝部（４２４）内への落ち込みを回避したことを特徴とする自動車用内装部品。
【請求項２】
前記積層構造体（２０）の意匠面凸部（２０ａ）対応箇所に設けられるＲ部対応樹脂リブ（２２ａ）のリブ幅（ａ２）が２．０〜２．５ｍｍで、リブ深さ（ｂ２）が３〜５ｍｍの範囲内に設定されていることを特徴とする請求項１に記載の自動車用内装部品。
【発明の詳細な説明】
【技術分野】
【０００１】
この発明は、ドアトリム、リヤパーセルシェルフ、フロアトリム、トランクトリム、ラゲージトリム、ルーフトリム、リヤサイドトリム等の自動車用内装部品に係り、軽量でかつ外観意匠性、製品剛性を向上させた自動車用内装部品に関する。
【背景技術】
【０００２】
例えば、自動車用内装部品の構成について、ドアトリムを例示して図１７，図１８を基に説明する。ドアトリム１は、保形性及び車体パネルへの取付剛性を備え、製品面のほぼ全体にいきわたっている樹脂芯材２の表面に、表面外観に優れた表皮３を積層一体化して構成されている。上記樹脂芯材２としては、タルクを混入したポリプロピレン系樹脂を素材としており、また、表皮３は、それ自体保形性を備えておらず、塩ビシート等の合成樹脂シートの裏面にポリエチレンフォーム等のクッション材が積層された積層シート材料が使用され、最近では、環境面やリサイクル面を考慮して、サーモプラスチックオレフィン（以下ＴＰＯという）シート等のエラストマーシートの裏面にポリエチレンフォーム等のクッション材が積層された積層シート材料が多用される傾向にある。
【０００３】
次に、上記ドアトリム１の成形方法における従来例について図１９を基に説明する。まず、ドアトリム１を成形する成形金型４は、所定ストローク上下動可能な成形上型５と、成形上型５と対をなす固定側の成形下型６と、成形下型６と接続される射出機７とから大略構成されている。そして、成形上下型５，６を型締めした際、ドアトリム１の製品形状を形造るために成形上型５にはキャビティ部５ａが形成され、成形下型６にはコア部６ａが設けられている。上記、成形上型５を所定ストローク上下動作させるために、昇降シリンダ５ｂが連結され、成形下型６には射出機７からの溶融樹脂の通路となるマニホールド６ｂ、ゲート６ｃが設けられている。また、上下動作する成形上型５は、適正姿勢を維持させるために、成形下型６の４隅部にガイドポスト６ｄが設けられ、このガイドポスト６ｄに対応して成形上型５にはガイドブッシュ５ｃが設けられている。
【０００４】
従って、成形上下型５，６が型開き状態にある時、表皮３を金型内にセットし、その後、成形上下型５，６を型締めした後、両金型間の製品キャビティ内に射出機７からマニホールド６ｂ、ゲート６ｃを通じて溶融樹脂Ｍを射出充填することにより、樹脂芯材２を所要の曲面形状に成形するとともに、樹脂芯材２の表面に表皮３を一体成形している（例えば、特許文献１参照。）。尚、図１９では、説明の便宜上、コア部６ａの型面にオープン状態で溶融樹脂Ｍが供給されているが、溶融樹脂Ｍは成形上下型５，６の型締め後にキャビティ内に射出充填されても良い。
【０００５】
【特許文献１】特開平１０−１３８２６８号公報  （第２頁、図３、図４）
【発明の開示】
【発明が解決しようとする課題】
【０００６】
しかしながら、従来のドアトリム１においては、樹脂芯材２の投影面積が大きいため、材料コストが高く、かつ製品が重量化するという問題点が指摘されている。また、樹脂芯材２の投影面積が大きいことから、成形時における射出圧を高く設定せざるを得ず、高い射出圧に耐え得る金型構造が必要となり、金型の作製費用も嵩み、しかも、大量の溶融樹脂を冷却固化させるため、成形サイクルが長期化し、生産性を低下させる大きな要因となっている。
【０００７】
本発明は、このような事情に鑑みてなされたもので、ドアトリム等の自動車用内装部品に係り、特に、軽量化を促進でき、コストダウンを図れ、かつ外観品質、並びに製品剛性を向上させた自動車用内装部品を提供することを目的とする。
【課題を解決するための手段】
【０００８】
本発明者らは、上記課題を解決するために、鋭意研究の結果、従来から表皮として使用していた発泡樹脂シートに保形性を付与することで、芯材としての機能をもたせ、より以上に剛性が必要な箇所、すなわち製品の周縁部分やパネル、あるいは部品取付箇所並びに荷重がかかる部位には、剛性に優れた樹脂リブを配置することで、従来の投影面積の広い樹脂芯材に比べ軽量で、かつコストが廉価な積層構造体を提供するとともに、樹脂リブを成形するために成形金型に設けられる溝部内に発泡樹脂シートが落ち込むことがないように溝部形状を工夫することにより、発泡樹脂シートの成形不良を回避できることを見い出し、本発明を完成するに至った。
【０００９】
上記課題を解決するために、本発明は、所望の曲面形状に成形され、軽量でかつ保形性を有する発泡樹脂基材と、この発泡樹脂基材の裏面に一体化される樹脂リブとから構成され、上記発泡樹脂基材は、加熱軟化処理された発泡樹脂シートが成形上下型内で絞り成形されるとともに、成形下型の溝部内に溶融樹脂を射出充填することにより、発泡樹脂基材の裏面に樹脂リブを一体化してなる積層構造体を全体、あるいは一部に採用してなる自動車用内装部品において、前記積層構造体の意匠面凸部対応箇所には、Ｒ部対応樹脂リブが形成され、Ｒ部対応樹脂リブ以外の樹脂リブのリブ幅、リブ深さに比べ、上記Ｒ部対応樹脂リブのリブ幅を狭く、リブ深さを浅く設定することで、発泡樹脂シートの絞り成形時において溝部内への落ち込みを回避したことを特徴とする。
【００１０】
ここで、自動車用内装部品の用途としては、ドアトリム、リヤパーセルシェルフ、フロアトリム、トランクトリム、ラゲージトリム、ルーフトリム、リヤサイドトリム等に適用できる。内装部品の全体構造に本発明構造を適用することもできるとともに、自動車用内装部品の一部、例えば、ドアトリムアッパーとドアトリムロアからなる上下２分割体のドアトリムにおけるドアトリムアッパーに本発明構造を適用することもできる。更に、本発明に使用する発泡樹脂基材は、発泡樹脂シートを加熱軟化処理した後、成形金型内で所望の曲面形状に成形することで、リブ等の補強材がなくても、成形後、型から脱型しても形状を保持する程度の剛性（保形性）を有している。
【００１１】
上記発泡樹脂シートとしては、熱可塑性樹脂に発泡剤を添加した素材を使用する。尚、熱可塑性樹脂は、１種類の熱可塑性樹脂でも２種類以上の熱可塑性樹脂からなっても良い。好ましくは、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等が使用できる。また、発泡剤としては、アゾ化合物、スルホヒドラジド化合物、ニトロソ化合物、アジド化合物等の有機発泡剤、あるいは重炭酸ナトリウム等の無機発泡剤の使用が可能である。上記発泡樹脂シートを加熱軟化処理後、所要形状に成形して得た発泡樹脂基材は、製品の重量と強度とのバランスを考慮した場合、２〜１０倍の発泡倍率が好ましい。その時の発泡樹脂基材のセル径は、０．１μｍ〜２．０ｍｍの範囲であることが好ましく、厚みは０．５〜３０ｍｍ、好ましくは１〜１０ｍｍのものが良い。
【００１２】
一方、補強機能をもつ樹脂リブとして使用する熱可塑性樹脂材料は、広範な熱可塑性樹脂から適宜選択することができる。通常好ましく使用できるものとして、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等が使用できる。また、これら熱可塑性樹脂中に各種充填剤を混入しても良い。使用できる充填剤としては、ガラス繊維、カーボン繊維等の無機繊維、タルク、クレイ、シリカ、炭酸カルシウム等の無機粒子などがある。また、酸化防止剤、紫外線吸収剤、着色剤、難燃剤、低収縮剤等の各種の添加剤が配合されても良い。
【００１３】
上記樹脂リブは、一般にリブ幅が３ｍｍ程度、リブ深さが１０ｍｍ前後に設定されているが、積層構造体の製品面形状に意匠面凸部が設けられている場合には、この意匠面凸部の形状出しを精度良く行なうために、意匠面凸部に対応する部位には、Ｒ部対応樹脂リブが形成されている。そして、このＲ部対応樹脂リブのリブ幅並びにリブ深さは、一般部の樹脂リブに比べ、リブ幅が狭く、かつリブ深さが浅く設定されている。例えば、リブ幅は２．０〜２．５ｍｍ程度、リブ深さは３〜５ｍｍ程度に設定されているのが好ましい。
【００１４】
更に、外観意匠性を高めるために、発泡樹脂基材の表面に加飾材を積層一体化しても良い。この加飾材としては、ＴＰＯシート、サーモプラスチックウレタン（ＴＰＵ）シート、塩ビシート等の合成樹脂シート、あるいは織布、不織布、編布等の布地シート、または合成樹脂フィルム、発泡体、網状物等の単体シートの形態で使用するか、または、合成樹脂シートや布地シートの裏面にポリエチレンフォーム、ポリプロピレンフォーム、ポリウレタンフォーム等のクッション層を裏打ちした積層シート材料の形態で使用することもできる。これら加飾材を構成する材料は特に限定されないが、織布、不織布、編布等、通気性を有する素材を使用したほうが、発泡樹脂基材の吸音性能を生かす上で好ましい。
【００１５】
次いで、使用する成形金型は、軽量でかつ保形性を有する発泡樹脂基材と、この発泡樹脂基材の裏面に一体化される樹脂リブとからなる積層構造体を成形する成形金型であって、前記成形金型は、相互に型締め、型開き可能な成形上型並びに成形下型と、成形下型に連結され、樹脂リブの素材である溶融樹脂を供給する射出機とから構成されている。
【００１６】
ここで、成形金型は、上下動可能な成形上型と、成形上型の下方側に位置する固定側である成形下型と、成形下型に連結される射出機とから構成されている。そして、射出機から供給される溶融樹脂は、成形下型に設けられたマニホールド、ゲート等の樹脂通路を通じて成形下型の型面上に形成されている溝部に供給される。
【００１７】
また、成形金型の型締めにより、発泡樹脂シートは、成形金型の型面形状に沿って賦形されるが、その際、成形工程の前工程で、ヒーター等により加熱軟化処理が行なわれ、加熱軟化状態の発泡樹脂シートが成形金型内にセットされる。そして、成形金型による発泡樹脂シートの成形工程には、発泡樹脂シートの冷却工程も含まれており、この発泡樹脂シートの冷却工程としては、成形金型の型締めにより冷却する他に、発泡樹脂シートを強制的に冷却するようにしても良い。例えば、発泡樹脂基材と成形下型の型面との間に所定クリアランスを設けて熱の解放を行なっても良く、また、発泡樹脂基材の裏面側から冷却用エア等の冷媒を吹き付けることにより、発泡樹脂基材を有効に冷却することもできる。この場合、エアブローは、型締め状態で行なっても良く、また、成形上型を上昇させて、発泡樹脂基材と成形下型との間にクリアランスを設け、このクリアランス内にエアブローするようにしても良い。
【００１８】
そして、特に、積層構造体の意匠面凸部における発泡樹脂基材の裏面に、リブ幅が狭く、かつリブ深さの浅いＲ部対応樹脂リブを一体化する場合には、成形下型の溝部の形状として、前記Ｒ部対応樹脂リブを形成するために、成形下型に開設されているＲ部対応溝部は、一般の溝部の溝幅よりも狭く、かつ一般の溝部の溝深さよりも浅く設定されている。例えば、溝幅が２．０〜２．５ｍｍで、かつ溝深さが３〜５ｍｍの範囲内が好ましい。
【００１９】
従って、本発明によれば、従来の投影面積の広い樹脂芯材に比べ、樹脂リブだけを成形すれば良いため、射出圧力を従来に比べ低く設定することができ、かつ成形上型の負荷が少なくて済むとともに、材料費を節約することができる。更に、積層構造体の意匠面凸部における発泡樹脂基材の裏面には、Ｒ部対応樹脂リブが形成されており、このＲ部対応樹脂リブのリブ幅が狭く、かつリブ深さが浅く設定されているため、発泡樹脂シートが溝部内に落ち込むことがなく、良好な成形が可能となる。従って、コーナー部や稜線等の意匠面凸部においても、樹脂リブの設定が可能となることから、製品剛性を高めることができるとともに、外観性能を高めることができる。
【発明の効果】
【００２０】
以上説明した通り、本発明に係る自動車用内装部品によれば、自動車用内装部品の全体、あるいは一部に採用される積層構造体は、軽量で、かつ保形性を有する発泡樹脂基材と、その裏面側に一体化される樹脂リブとから構成されているため、軽量で、低コストであり、しかも高い剛性を備えた内装部品を提供できるという効果を有する。更に、積層構造体の意匠面凸部における発泡樹脂基材の裏面には、Ｒ部対応樹脂リブが形成されており、このＲ部対応樹脂リブのリブ幅が狭く、かつリブ深さが浅く設定されていることで、発泡樹脂シートが溝部内に落ち込むことを可及的に防止するというものであるから、意匠面凸部に凹み等の外観不良が生じることがなく、外観性能を良好に維持できるとともに、かつ意匠面凸部の直下に樹脂リブを配置する構造を可能としたため、製品剛性を強固に維持できるという効果を有する。
【発明を実施するための最良の形態】
【００２１】
以下、本発明に係る自動車用内装部品の好適な実施例について、自動車用ドアトリムを例示して説明する。尚、念のため付言すれば、本発明の要旨は特許請求の範囲に記載した通りであり、以下に説明する実施例の内容は、本発明の一例を単に示すものに過ぎない。
【実施例】
【００２２】
図１乃至図１６は本発明の一実施例を示すもので、図１はツートンタイプの自動車用ドアトリムを示す正面図、図２は同自動車用ドアトリムの構成を示す断面図、図３は同自動車用ドアトリムにおけるドアトリムアッパーの樹脂リブとドアトリムロアを示す正面図、図４乃至図６は同自動車用ドアトリムにおけるドアトリムアッパーの要部構成を示す各断面図、図７乃至図１０は同自動車用ドアトリムの製造方法に使用する成形金型をそれぞれ示し、図７は成形金型の全体図、図８乃至図１０は成形金型におけるドアトリムアッパー形成部分を示す各断面図である。更に、図１１乃至図１５は同自動車用ドアトリムの製造方法の各工程を示し、図１１は発泡樹脂シートの予熱工程、図１２は発泡樹脂シートの成形金型へのセット工程、図１３乃至図１５はドアトリムの成形工程をそれぞれ示す各説明図、図１６は本発明の変形例を示す要部断面図である。
【００２３】
まず、図１乃至図６に基づいて、本発明に係る自動車用内装部品の構成を適用したツートンタイプの自動車用ドアトリム１０の構成について説明する。ツートンタイプの自動車用ドアトリム１０は、積層構造体からなるドアトリムアッパー２０と、樹脂単体品からなるドアトリムロア３０との上下２分割体から構成されている。そして、ドアトリム１０に装着される機能部品としては、ドアトリムアッパー２０にインサイドハンドルエスカッション１１、パワーウインドウスイッチエスカッション１２が取り付けられている。ドアトリムロア３０には、ドアポケット用開口１３が開設され、その背面側には、図２に示すように、ポケットバックカバー（樹脂成形体から構成されている）１４が取り付けられており、ドアトリムロア３０のフロント側にスピーカグリル１５がドアトリムロア３０と一体、あるいは別体に設けられている。
【００２４】
ところで、本発明に係る自動車用ドアトリム１０は、積層構造体からなるドアトリムアッパー２０の構造に特徴があり、製品の軽量化が図られているとともに、良好な表面外観と強固な製品剛性が確保されている。すなわち、ドアトリムアッパー２０は、図２に示すように、所望の曲面形状に成形され、保形性を有する発泡樹脂基材２１と、この発泡樹脂基材２１の裏面側に一体化される樹脂リブ２２と、発泡樹脂基材２１の表面側に積層一体化される加飾機能をもつ加飾材２３とから大略構成されている。尚、図中符号１６は車体パネルを示す。
【００２５】
上記発泡樹脂基材２１は、保形性を備えるように、発泡樹脂シートを加熱軟化処理後、所要形状に熱成形、例えば、所望の型面を有する成形金型でコールドプレス成形して、形状が付与される。上記発泡樹脂シートは、汎用の熱可塑性樹脂に発泡剤を添加した構成であり、熱可塑性樹脂としては、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等が使用でき、発泡剤としては、アゾジカルボンアミド等の有機発泡剤や重炭酸ナトリウム等の無機発泡剤が使用できる。この実施形態では、ポリプロピレン系樹脂に発泡剤として重炭酸ナトリウムを適宜添加した発泡樹脂シートを使用している。また、この発泡樹脂基材２１の発泡倍率は、２〜１０倍に設定され、厚みは０．５〜３０ｍｍ、特に好ましくは１〜１０ｍｍの範囲に設定されている。
【００２６】
次いで、樹脂リブ２２は、図３に示すように、縦横方向、あるいは斜め方向等に延びる格子状パターンに設定されている。そして、この樹脂リブ２２は、汎用の合成樹脂成形体からなり、通常好ましく使用できる合成樹脂として、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等から適宜選択されて良く、本実施形態では、環境面、リサイクル面を考慮してポリプロピレン系樹脂が使用されている。また、この樹脂リブ２２には、上記熱可塑性樹脂中に適宜フィラー、例えば、ガラス繊維、カーボン繊維等の無機繊維や、タルク、クレイ、シリカ、炭酸カルシウム等の無機粒子等の充填剤が混入されていても良い。
【００２７】
このように、図１乃至図３に示すドアトリム１０は、積層構造体からなるドアトリムアッパー２０と、合成樹脂単体品であるドアトリムロア３０とから構成され、外観上のアクセント効果により、優れた外観意匠性を備えている。更にドアトリムアッパー２０は、保形性を有する発泡樹脂基材２１と、発泡樹脂基材２１の裏面に積層一体化される樹脂リブ２２とから構成されているため、従来のように製品の全面に亘り占有していた樹脂芯材を廃止でき、かつ軽量な発泡樹脂基材２１を使用する一方、樹脂リブ２２は骨状であり、荷重が加わる部位、例えば、クリップ取付座、ウエストフランジ、アームレスト部上面等を除いた部位は、肉抜き構造となっている関係で、製品の重量について、従来例に比し４０％以上の軽量化を図ることができるとともに、樹脂材料も大幅に節約でき、コストダウンにも貢献できる。
【００２８】
更に、発泡樹脂基材２１は、多孔質構造であるため、ドアトリムアッパー２０は、吸音性能に優れ、車室内外の騒音を低減することができる。また、発泡樹脂基材２１の表面に所望ならば加飾材を積層一体化しても良い。その場合は、車室内騒音を対象とした吸音性能を高めるために、発泡樹脂基材２１の表面に積層一体化される加飾材は、織布、不織布、編布等の通気性を備えたシート材料が好ましい。尚、加飾材は、織布、不織布、編布等の通気性シート以外にも塩ビシートやＴＰＯシート等の合成樹脂シート（ＴＰＯシートを使用すればリサイクルが可能）、合成樹脂フィルム、発泡体、網状体等を使用することができる。尚、廉価構成として、加飾材を省略し、発泡樹脂基材２１の表面に塗装や印刷処理を施すようにしても良い。
【００２９】
更に、ドアトリムアッパー２０においては、発泡樹脂基材２１が所望の曲面形状に成形されているが、特に、アームレストのコーナー部等のシャープなハイライト線を形成するのが外観上好ましく、これらハイライト線等を以下意匠面凸部２０ａという。そして、意匠面凸部２０ａに対応する部位は、図４に示すように、Ｒ部対応樹脂リブ２２ａが形成されている。そして、図５に示すように、一般部の樹脂リブ２２のリブ幅ａ１が３ｍｍ、リブ深さｂ１が１０ｍｍであるのに対して、図６に示すように、意匠面凸部２０ａに対応するＲ部対応樹脂リブ２２ａは、リブ幅ａ２が２．０〜２．５ｍｍに、また、リブ深さｂ２が３〜５ｍｍに設定されている。そして、このように、Ｒ部対応樹脂リブ２２ａを設定することで、後述するように、発泡樹脂基材２１を所望の曲面形状に成形する際、意匠面凸部２０ａにおいて、発泡樹脂基材２１が成形金型の溝部内に落ち込むことを回避でき、成形不良になるのを可及的に防止できることが特徴である。
【００３０】
次に、上述したドアトリム１０の製造方法について以下に説明する。まず、図７乃至図１０に基づいて、成形金型４０の構成について説明する。図７において、ドアトリム１０の成形に使用する成形金型４０は、所定ストローク上下動可能な成形上型４１と、成形上型４１と対をなす固定側の成形下型４２と、成形下型４２に接続される２基の射出機４３ａ，４３ｂとから大略構成されている。
【００３１】
更に詳しくは、成形上型４１は、製品形状に合致したキャビティ部４１１が形成されており、成形上型４１の上面に連結された昇降シリンダ４１２により所定ストローク上下駆動される。また、成形上型４１の４隅部には、ガイド機構となるガイドブッシュ４１３が設けられている。
【００３２】
一方、成形下型４２には、成形上型４１のキャビティ部４１１に対応するコア部４２１が設けられている。また、このコア部４２１の型面に溶融樹脂を供給するために、マニホールド４２２ａ，４２２ｂ、ゲート４２３ａ，４２３ｂが設けられており、このマニホールド４２２ａ，４２２ｂ、ゲート４２３ａ，４２３ｂの樹脂通路を経て射出機４３ａ，４３ｂから供給される溶融樹脂Ｍ１，Ｍ２がコア部４２１の上面に供給される。尚、樹脂リブ２２を形成するために、コア部４２１上面に溶融樹脂Ｍ１が供給される溝部４２４が穿設される一方、ドアトリムロア３０を形成するために、成形上下型４１，４２間に所定クリアランスのキャビティ４２５が設定されている。また、成形下型４２の４隅部には、ガイド機構となるガイドポスト４２６が突設され、このガイドポスト４２６は、成形上下型４１，４２が型締めされる際、ガイドブッシュ４１３内に案内されることで成形上型４１のプレス姿勢を適正に維持できる。
【００３３】
更に、図８乃至図１０に示すように、ドアトリムアッパー２０が対応する部位の成形下型４２には、交差状の樹脂リブ２２に対応する溝部４２４が設けられているが、この溝部４２４についても、一般の樹脂リブ２２と、Ｒ部対応樹脂リブ２２ａとを差別化するために、一般の溝部４２４の溝幅ｗ１よりも溝幅ｗ２を狭く、かつ一般の溝部４２４の溝深さｄ１よりも溝深さｄ２を浅く設定したＲ部対応溝部４２４ａが設定されている。また、図示はしないが、成形下型４２には、エアブロー機構が付設されていても良い。エアブロー機構としては、圧空ブロワとこれと接続するエアブロー管が成形下型４２の空気室に連通しており、エアブロー管に設けられている開閉バルブの開閉操作により、成形下型４２の空気室内に冷媒としての冷却用エアが供給され、成形下型４２の型面に形成されているエアブロー孔を通じて、キャビティ内に冷却用エアが吹き付けられる。この冷媒としては、冷却用エアの他に液体窒素、液体空気、二酸化炭素等を使用することもできる。
【００３４】
次いで、参考までに、上述した構成のドアトリム１０の製造方法について、簡単に図１１乃至図１５に基づいて説明する。まず、図１１に示すように、ヒーター装置５０により発泡樹脂シートＳを所定温度に加熱軟化させる発泡樹脂シートＳの予熱工程が採用されている。この実施例では、発泡樹脂シートＳとして、ポリプロピレン製発泡シート（住化プラステック製、商品名：スミセラー発泡ＰＰシート、発泡倍率＝３倍、厚み３ｍｍ）が使用されている。そして、図１２に示すように、加熱軟化処理した発泡樹脂シートＳをドアトリムアッパー２０対応箇所における成形上型４１のキャビティ部４１１と成形下型４２のコア部４２１で画成されるキャビティの上半部分にセットする。尚、発泡樹脂シートＳの一方面には加飾材２３が予めラミネートされている。
【００３５】
上記発泡樹脂シートＳをセットした後、図１３に示すように、成形上型４１の昇降シリンダ４１２が動作して、成形上型４１が所定ストローク下降して、成形上下型４１，４２が型締めされ、発泡樹脂シートＳがキャビティ形状に沿って賦形される。この時、図示するように、特にドアトリムアッパー２０における意匠面凸部２０ａに対応する箇所においては、発泡樹脂シートＳにテンションが加わり、溝部４２４に押し込む傾向があるものの、特に、意匠面凸部２０ａに対応する部位のＲ部対応溝部４２４ａの溝幅ｗ２が狭く、かつ溝深さｄ２が浅く設定されているため、意匠面凸部２０ａにおける発泡樹脂シートＳがＲ部対応溝部４２４ａ内に落ち込むことがなく、ハイライト線等の意匠面凸部２０ａはシャープな形状に成形することができる。そして、従来では、意匠面凸部２０ａにおいては、発泡樹脂シートＳの落ち込みにより、樹脂リブを設定することが造形上困難であったが、本発明においては、Ｒ部対応溝部４２４ａの形状を工夫することで、意匠面凸部２０ａの直下位置についてもＲ部対応樹脂リブ２２ａを形成できるため、製品剛性を強化することができる。
【００３６】
次に、発泡樹脂シートＳから発泡樹脂基材２１を所望の曲面形状に成形した後、図１４，図１５に示すように、第１の射出機４３ａからマニホールド４２２ａ、ゲート４２３ａを通じてドアトリムアッパー２０における樹脂リブ２２を形成するために、溶融樹脂Ｍ１が成形下型４２の溝部４２４、Ｒ部対応溝部４２４ａ内に射出充填される。更に、ドアトリムロア３０を成形するために、第２の射出機４３ｂからマニホールド４２２ｂ、ゲート４２３ｂを通じてキャビティ４２５内に溶融樹脂Ｍ２が射出充填され、ドアトリムロア３０が所要形状に成形される。尚、この溶融樹脂Ｍ１，Ｍ２としては、住友ノーブレンＢＵＥ８１Ｅ６（住友化学工業製ポリプロピレン、メルトインデックス＝８０ｇ／１０分）でタルク等のフィラーが適宜割り合いで混入されている樹脂材料を使用している。従って、第１の射出機４３ａから溶融樹脂Ｍ１を溝部４２４、Ｒ部対応溝部４２４ａ内に射出充填する一方、第２の射出機４３ｂから溶融樹脂Ｍ２をキャビティ４２５内に射出充填することにより、ドアトリムアッパー２０における樹脂リブ２２を所要形状に成形するとともに、これと一体にドアトリムロア３０が一体成形される。
【００３７】
図１６は本発明の変形例を示すものであり、ドアトリムアッパー２０における段部Ａが意匠面凸部２０ａに該当する。従って、樹脂リブ２２においても、段部Ａの対応箇所には、Ｒ部対応樹脂リブ２２ａが形成され、このＲ部対応樹脂リブ２２ａのリブ幅が狭く、かつリブ深さが浅く設定されている。よって、発泡樹脂基材２１の成形時、発泡樹脂シートＳが溝部４２４内に落ち込むことがなく、段部Ａの形状出しを精度良く行なうことができる。
【００３８】
このように、本発明に係る自動車用ドアトリム１０は、特に、ドアトリムアッパー２０の構成として、発泡樹脂基材２１と、裏面に一体化される樹脂リブ２２とから構成することで、軽量化を促進するとともに、特に、ドアトリムアッパー２０のアームレストにおけるコーナー縁に沿うハイライト線等、意匠面凸部２０ａについては、成形下型４２に設ける溝部４２４の形状にＲ部対応溝部４２４ａを設定することで、意匠面凸部２０ａにおいて精度の良い形状出しを可能とし、かつ意匠面凸部２０ａにＲ部対応樹脂リブ２２ａを設定することで剛性を強化することができ、外観性能並びに製品剛性を向上させることができるという利点を備えている。
【産業上の利用可能性】
【００３９】
以上説明した実施例は、ツートンタイプの自動車用ドアトリム１０におけるドアトリムアッパー２０に本発明構造を適用したが、一体型のドアトリム、あるいはドアトリム以外の内装部品、例えば、リヤパーセルシェルフ、フロアトリム、トランクトリム、ラゲージトリム、ルーフトリム、リヤサイドトリム等、内装トリム全般に本発明構造を適用することができる。
【図面の簡単な説明】
【００４０】
【図１】本発明に係る自動車用内装部品の一実施例であるドアトリムを示す正面図である。
【図２】図１中II−II線断面図である。
【図３】図１に示すドアトリムにおけるドアトリムアッパーの樹脂リブとドアトリムロアとを示す正面図である。
【図４】図１に示すドアトリムにおけるドアトリムアッパーの要部構成を示す断面図である。
【図５】図４中V −V 線断面図である。
【図６】図４中VI−VI線断面図である。
【図７】図１に示すドアトリムを成形する際に使用する成形金型の全体構成を示す説明図である。
【図８】図５に示す成形金型におけるドアトリムアッパーの意匠面凸部を成形する部位を示す要部断面図である。
【図９】図８中IX−IX線断面図である。
【図１０】図８中X −X 線断面図である。
【図１１】図１に示すドアトリムの製造方法における発泡樹脂シートの予熱工程を示す説明図である。
【図１２】図１に示すドアトリムの製造方法における発泡樹脂シートの型内セット工程を示す説明図である。
【図１３】図１に示すドアトリムの製造方法における発泡樹脂基材の成形工程を示す説明図である。
【図１４】図１に示すドアトリムの製造方法におけるドアトリムアッパーの樹脂リブの成形工程及びドアトリムロアの成形工程を示す説明図である。
【図１５】図１に示すドアトリムの製造方法におけるドアトリムアッパーの成形工程を示す説明図である。
【図１６】図１に示すドアトリムにおけるドアトリムアッパーの変形例を示す断面図である。
【図１７】従来のドアトリムを示す正面図である。
【図１８】図１７中XVIII −XVIII 線断面図である。
【図１９】従来のドアトリムを成形する際に使用する成形金型の構成を示す説明図である。
【符号の説明】
【００４１】
１０  ツートンタイプの自動車用ドアトリム
２０  ドアトリムアッパー
２０ａ  意匠面凸部
２１  発泡樹脂基材
２２  樹脂リブ
２２ａ  Ｒ部対応樹脂リブ
２３  加飾材
３０  ドアトリムロア
４０  成形金型
４１  成形上型
４２  成形下型
４２４  溝部
４２４ａ  Ｒ部対応溝部
４３ａ，４３ｂ  射出機
Ｍ１，Ｍ２  溶融樹脂
Ｓ  発泡樹脂シート
ａ１，ａ２  リブ幅
ｂ１，ｂ２  リブ深さ
ｗ１，ｗ２  溝幅
ｄ１，ｄ２  溝深さ
Ａ  段部
【図１】
0004697868.tif 000002
【図２】
0004697868.tif 000003
【図３】
0004697868.tif 000004
【図４】
0004697868.tif 000005
【図５】
0004697868.tif 000006
【図６】
0004697868.tif 000007
【図７】
0004697868.tif 000008
【図８】
0004697868.tif 000009
【図９】
0004697868.tif 000010
【図１０】
0004697868.tif 000011
【図１１】
0004697868.tif 000012
【図１２】
0004697868.tif 000013
【図１３】
0004697868.tif 000014
【図１４】
0004697868.tif 000015
【図１５】
0004697868.tif 000016
【図１６】
0004697868.tif 000017
【図１７】
0004697868.tif 000018
【図１８】
0004697868.tif 000019
【図１９】
0004697868.tif 000020